(57)【要約】【課題】視聴期限付きのコンテンツデータをネットワーク経由でダウンロードする端末において、コンテンツデータの一覧を表示するＧＵＩ画面で操作を行わなければ、視聴期限が過ぎていることがわからなかった。【解決手段】格納済みのコンテンツデータの視聴期限が経過しているか否かを判定する視聴期限経過判定部１０７と、利用者にコンテンツデータを選ばせるために、コンテンツデータ毎のコンテンツ情報に含まれるコンテンツ説明情報を複数並べたコンテンツリストを生成し表示させるコンテンツリスト生成表示部１０６とを備える。コンテンツリスト生成表示部は、コンテンツリストを表示させる際、各コンテンツデータの視聴期限が経過しているか否かを判定させ、視聴期限が経過しているコンテンツデータについてはそのコンテンツ説明情報を表示させない。【選択図】図１
2011009815.tif 000002
【特許請求の範囲】
【請求項１】
ネットワークを介してサーバからコンテンツデータおよび前記コンテンツデータに対応するコンテンツ情報を取得するネット情報取得部と、
複数の前記コンテンツデータおよび複数の前記コンテンツ情報を格納する蓄積部と、
格納済みの前記コンテンツデータの視聴期限が経過しているか否かを判定する視聴期限経過判定部と、
利用者に前記コンテンツデータを選ばせるために、前記コンテンツデータ毎の前記コンテンツ情報に含まれるコンテンツ説明情報を複数並べたコンテンツリストを生成し表示させるコンテンツリスト生成表示部とを備え、
前記コンテンツリスト生成表示部は、
前記コンテンツリストを表示させる際に、前記視聴期限経過判定部によって前記各コンテンツデータの視聴期限が経過しているか否かを判定させ、
前記視聴期限が経過していないコンテンツデータについてはその前記コンテンツ説明情報を表示させ、
前記視聴期限が経過しているコンテンツデータについてはその前記コンテンツ説明情報を表示させない、または、その前記コンテンツ説明情報の全部もしくは一部を表示させながら視聴期限切れの警告を追記して表示させる、記録再生装置。
【請求項２】
前記コンテンツリスト生成部は、前記視聴期限が経過しているコンテンツデータの前記コンテンツ情報を表示させない場合に、前記視聴期限が経過しているコンテンツデータに対応する前記コンテンツ情報の中に関連コンテンツ情報が有るときは、前記視聴期限が経過しているコンテンツデータのコンテンツ説明情報に代えて、前記関連コンテンツ情報に含まれる所定の情報を表示させる、請求項１に記載の記録再生装置。
【請求項３】
前記視聴期限が経過しているコンテンツデータに対応する前記コンテンツ情報の中に前記関連コンテンツ情報が有り、かつ前記関連コンテンツ情報に前記所定の情報に対応する表示用データの取得先情報が含まれる場合には、前記ネット情報取得部は、前記コンテンツリスト生成表示部が前記コンテンツリストに前記所定の情報を表示させる前に、予め前記取得先情報を利用して前記表示用データを取得し、前記蓄積部に格納しておき、
前記コンテンツリスト生成表示部は、前記コンテンツリストに前記所定の情報を表示させる際に、前記蓄積部に格納された対応する前記表示用データも表示させる、請求項２に記載の記録再生装置。
【請求項４】
前記ネット情報取得部は、前記取得先情報を含む前記コンテンツ情報に対応するコンテンツデータの視聴期限に達したときに、前記視聴期限に達したコンテンツデータに対応する前記表示用データを取得する、請求項３に記載の記録再生装置。
【請求項５】
前記ネット情報取得部は、電源を入れられた際またはその所定期間後に、前記視聴期限経過判定部によって前記各コンテンツデータの視聴期限が経過しているか否かを判定させ、前記取得先情報を含む前記コンテンツ情報に対応するコンテンツデータのうち視聴期限を経過しているコンテンツデータがあった場合には、前記視聴期限を経過したコンテンツデータに対応する前記表示用データを取得する、請求項３に記載の記録再生装置。
【請求項６】
前記ネット情報取得部は、電源を入れられた際またはその所定期間後に、前記取得先情報を含む前記コンテンツ情報に対応するコンテンツデータのうち前記表示用データが前記蓄積部に格納されていないコンテンツデータがあった場合には、前記蓄積部に格納されていない前記表示用データを取得して前記蓄積部に格納する、請求項３に記載の記録再生装置。
【請求項７】
前記関連コンテンツ情報には、前記所定の情報に関連した内容のデータを取得するための取得先情報が含まれており、
前記利用者によって、前記コンテンツリストの中から前記コンテンツ説明情報が選択された場合には、前記蓄積部に格納された対応する前記コンテンツデータが再生され、
前記利用者によって、前記コンテンツリストの中から前記所定の情報が選択された場合には、前記取得先情報を利用して前記所定の情報に関連した内容のデータが取得され表示される、請求項２に記載の記録再生装置。
【請求項８】
前記蓄積部には、前記ネットワーク以外から取得された別のコンテンツデータが格納されており、
前記コンテンツリスト生成表示部は、前記コンテンツリストを表示させる際に、前記別のコンテンツデータのコンテンツ説明情報も表示させる、請求項２に記載の記録再生装置。
【請求項９】
ネットワークを介してサーバからコンテンツデータおよび前記コンテンツデータに対応するコンテンツ情報を取得するネット情報取得ステップと、
複数の前記コンテンツデータおよび複数の前記コンテンツ情報を格納する蓄積ステップと、
格納済みの前記コンテンツデータの視聴期限が経過しているか否かを判定する視聴期限経過判定ステップと、
利用者に前記コンテンツデータを選ばせるために、前記コンテンツデータ毎の前記コンテンツ情報に含まれるコンテンツ説明情報を複数並べたコンテンツリストを生成し表示するコンテンツリスト生成表示ステップとを備え、
前記コンテンツリスト生成ステップでは、
前記コンテンツリストを表示させる際に、前記各コンテンツデータの視聴期限が経過しているか否かを判定し、
前記視聴期限が経過していないコンテンツデータについてはその前記コンテンツ説明情報を表示し、
前記視聴期限が経過しているコンテンツデータについてはその前記コンテンツ説明情報を表示しない、または、その前記コンテンツ説明情報の全部もしくは一部を表示しながら視聴期限切れの警告を追記して表示する、記録再生装置のコンテンツリスト表示方法。
【請求項１０】
請求項９に記載の記録再生装置のコンテンツリスト表示方法の、格納済みの前記コンテンツデータの視聴期限が経過しているか否かを判定する前記視聴期限経過判定ステップ、および、利用者に前記コンテンツデータを選ばせるために、前記コンテンツデータ毎の前記コンテンツ情報に含まれるコンテンツ説明情報を複数並べたコンテンツリストを生成し表示する前記コンテンツリスト生成表示ステップをコンピュータに実行させるプログラム。
【請求項１１】
請求項１０に記載のプログラムを記録した記録媒体であって、コンピュータにより処理可能な記録媒体。
【発明の詳細な説明】
【技術分野】
【０００１】
本発明は、ネットワーク経由で映像や音声コンテンツをダウンロードして再生することのできる、記録再生装置およびコンテンツリスト表示方法等に関する。
【背景技術】
【０００２】
近年、インターネットの発達により、映画や音楽等をダウンロードして再生する技術が一般化しつつある。そして映画や音楽等のコンテンツ配信を行うサーバから、ＰＣ、ＡＶ機器、携帯電話やポータブル機器にネットワーク経由でコンテンツをダウンロードするサービスが多く提供されている（例えば、特許文献１参照）。
【０００３】
この様なコンテンツ配信サービスにＤＲＭ技術を適用することにより、視聴期限を限って視聴を許可する、コンテンツのレンタルシステムを実現することができた。
【０００４】
この様な従来のレンタルシステムの動作シーケンスの例を図１０に示す。以下図１０に従って従来のレンタルシステムにおけるサーバおよび端末の動作について説明する。
【０００５】
端末６２０とサーバ６３０はインターネットで接続されており、相互に通信することができる。この様な構成では、利用者が端末６２０を操作してコンテンツの購入及びダウンロード指示６００を行うと、端末６２０がＷｅｂブラウザやその他の通信アプリケーションを用いてサーバ６３０に接続され、コンテンツの購入及びダウンロード指示６０１をサーバ６３０に送ることが可能である。
【０００６】
ここでサーバ６３０は、コンテンツの購入及びダウンロード指示６０１を受け取ると、当該コンテンツを端末６２０にレンタルさせる期限ｔ１〜ｔ２を生成してサーバ６３０内に保存するものとする（ライセンス期限生成６０２）。
【０００７】
サーバ６３０は、その後コンテンツの購入及びダウンロード指示６０１に対する応答として、コンテンツ情報４００を端末６２０に配信６０３する。ここでコンテンツ情報４００とは、コンテンツデータと、そのコンテンツデータのライセンスを取得する為の情報であり、例えばコンテンツデータのＵＲＬとライセンスのＩＤを含むものとする。コンテンツ情報４００を受信した端末６２０は、コンテンツ情報４００を端末６２０内に保存し、端末６２０へのダウンロード予約登録を完了６０４する。
【０００８】
次に端末６２０は、コンテンツ情報４００に従ってコンテンツデータのダウンロード６０５を行う。ダウンロードは、例えばコンテンツデータのＵＲＬに対するＨＴＴＰのＧＥＴ命令発行によって行われ、コンテンツの全ての部分を取得して端末６２０内に保存することで完了する。
【０００９】
端末６２０は、ダウンロード６０５が完了すると、サーバ６３０へライセンス取得要求６０６を行う。
【００１０】
サーバ６３０は、ライセンス取得要求６０６に対する応答として、ライセンス取得応答６０７により、ライセンスの配信を行う。ここでライセンスとは、コンテンツデータの再生期限を制限するための情報であり、例えば暗号化されたコンテンツデータを復号する為の暗号鍵と、暗号鍵の使用期限を含むものとする。
【００１１】
サーバ６３０は、ライセンス期限生成６０２において当該コンテンツをレンタルさせる期限ｔ１〜ｔ２を生成してあるので、ｔ１〜ｔ２をライセンス内の再生期限情報として配信するものとする。
【００１２】
ライセンスを受信した端末６２０は、そのライセンスを端末６２０内に保存６０８する。
【００１３】
以上のようなシーケンスにより、コンテンツデータのダウンロードと当該ライセンスの取得が完了する。
【００１４】
次に、利用者が端末６２０を操作して、ダウンロードしたコンテンツデータの再生を指示６０９するものとする。
【００１５】
この時端末６２０は、保存６０８しておいたライセンスを取り出し６１０、ライセンス内の再生期限情報ｔ１〜ｔ２を現在時刻と照合してライセンス利用期限内であるか確認６１１し、期限内であればライセンス内の暗号鍵を用いてコンテンツデータの復号６１２と再生６１３を開始する。
【００１６】
以上のようなシーケンスにより、コンテンツデータの再生６１３を行うことが可能になる。
【００１７】
なお、レンタル期間が終了した後に利用者がコンテンツデータの再生を指示６１４した場合、保存６０８しておいたライセンスを取り出し６１５、その取り出したライセンス内の再生期限情報ｔ１〜ｔ２を現在時刻と照合してライセンス利用期限内であるか確認６１６した結果、レンタル期限が終了していることが判明するため、再生を行わずに利用者に期限切れである旨の表示６１７を行う。
【００１８】
以上のようなシーケンスにより、視聴期限を限って視聴を許可する、コンテンツのレンタルシステムを実現することができた。
【先行技術文献】
【特許文献】
【００１９】
【特許文献１】特開２００７−１２３９８４号公報
【発明の概要】
【発明が解決しようとする課題】
【００２０】
しかしながら、上記従来のレンタルシステムにおける端末では、視聴期限が過ぎたコンテンツデータに対する操作を行わなければ、利用者はそのコンテンツデータが価値の無くなったものであることを知ることができなかった。
【００２１】
例えば、端末６２０がサーバ６３０からダウンロードしたコンテンツデータを再生する際、利用者は図１１（ａ）に示すようなコンテンツリスト表示ＧＵＩ６５０を用いてコンテンツデータの再生を行う。図１１（ａ）は、端末６２０に格納された複数のコンテンツデータの中から、利用者が所望のコンテンツデータを選択するために表示される表示画面例を示したものである。
【００２２】
図１１（ａ）は、３つのコンテンツデータの中から所望のコンテンツデータを選択できる画面の表示例を示しており、利用者がそれぞれのコンテンツデータを識別できるように、各コンテンツデータに対応してコンテンツタイトル６５１およびコンテンツサムネイル６５２が表示される。
【００２３】
コンテンツリスト表示ＧＵＩ６５０に表示されているコンテンツデータの中に視聴期限を過ぎたコンテンツデータがあった場合でも、その視聴期限を過ぎたコンテンツデータに対応するコンテンツタイトル６５１およびコンテンツサムネイル６５２は表示されたままとなる。例えば、「タイトルＡ」に対応するコンテンツデータの視聴期限が過ぎていた場合でも、図１１（ａ）のコンテンツリスト表示ＧＵＩ６５０のように表示され、利用者はこの画面を見ただけでは、「タイトルＡ」のコンテンツデータが視聴期限を過ぎて再生できなくなったものであることがわからない。
【００２４】
図１１（ｂ）は、図１１（ａ）のコンテンツリスト表示ＧＵＩ６５０において、視聴期限が過ぎた「タイトルＡ」のコンテンツデータに対して利用者が再生指示を行ったときの画面表示例を示している。
【００２５】
図１１（ａ）のコンテンツリスト表示ＧＵＩ６５０から利用者が「タイトルＡ」のコンテンツデータを再生しようとして選択したときに、図１１（ｂ）に示すように視聴期限経過警告表示６５３が表示されて、利用者は「タイトルＡ」のコンテンツデータが再生できなくなったことがわかる。
【００２６】
このように、視聴期限が過ぎたコンテンツデータであっても、視聴期限が過ぎる前と同様のリスト表示がされるため、利用者は「タイトルＡ」のコンテンツデータに対する操作を行わなければ、そのコンテンツデータが価値の無くなったものであることを知ることができなかった。
【００２７】
本発明は、上記従来の端末における課題を考慮して、利用者が視聴期限の過ぎたコンテンツデータに対する操作を行わなくても、そのコンテンツデータが価値の無くなったものであることがわかる記録再生装置およびコンテンツリスト表示方法等を提供することを目的とする。
【課題を解決するための手段】
【００２８】
上述した課題を解決するために、第１の本発明は、
ネットワークを介してサーバからコンテンツデータおよび前記コンテンツデータに対応するコンテンツ情報を取得するネット情報取得部と、
複数の前記コンテンツデータおよび複数の前記コンテンツ情報を格納する蓄積部と、
格納済みの前記コンテンツデータの視聴期限が経過しているか否かを判定する視聴期限経過判定部と、
利用者に前記コンテンツデータを選ばせるために、前記コンテンツデータ毎の前記コンテンツ情報に含まれるコンテンツ説明情報を複数並べたコンテンツリストを生成し表示させるコンテンツリスト生成表示部とを備え、
前記コンテンツリスト生成表示部は、
前記コンテンツリストを表示させる際に、前記視聴期限経過判定部によって前記各コンテンツデータの視聴期限が経過しているか否かを判定させ、
前記視聴期限が経過していないコンテンツデータについてはその前記コンテンツ説明情報を表示させ、
前記視聴期限が経過しているコンテンツデータについてはその前記コンテンツ説明情報を表示させない、または、その前記コンテンツ説明情報の全部もしくは一部を表示させながら視聴期限切れの警告を追記して表示させる、記録再生装置である。
【００２９】
また、第２の本発明は、
前記コンテンツリスト生成部は、前記視聴期限が経過しているコンテンツデータの前記コンテンツ情報を表示させない場合に、前記視聴期限が経過しているコンテンツデータに対応する前記コンテンツ情報の中に関連コンテンツ情報が有るときは、前記視聴期限が経過しているコンテンツデータのコンテンツ説明情報に代えて、前記関連コンテンツ情報に含まれる所定の情報を表示させる、第１の本発明の記録再生装置である。
【００３０】
また、第３の本発明は、
前記視聴期限が経過しているコンテンツデータに対応する前記コンテンツ情報の中に前記関連コンテンツ情報が有り、かつ前記関連コンテンツ情報に前記所定の情報に対応する表示用データの取得先情報が含まれる場合には、前記ネット情報取得部は、前記コンテンツリスト生成表示部が前記コンテンツリストに前記所定の情報を表示させる前に、予め前記取得先情報を利用して前記表示用データを取得し、前記蓄積部に格納しておき、
前記コンテンツリスト生成表示部は、前記コンテンツリストに前記所定の情報を表示させる際に、前記蓄積部に格納された対応する前記表示用データも表示させる、第２の本発明の記録再生装置である。
【００３１】
また、第４の本発明は、
前記ネット情報取得部は、前記取得先情報を含む前記コンテンツ情報に対応するコンテンツデータの視聴期限に達したときに、前記視聴期限に達したコンテンツデータに対応する前記表示用データを取得する、第３の本発明の記録再生装置である。
【００３２】
また、第５の本発明は、
前記ネット情報取得部は、電源を入れられた際またはその所定期間後に、前記視聴期限経過判定部によって前記各コンテンツデータの視聴期限が経過しているか否かを判定させ、前記取得先情報を含む前記コンテンツ情報に対応するコンテンツデータのうち視聴期限を経過しているコンテンツデータがあった場合には、前記視聴期限を経過したコンテンツデータに対応する前記表示用データを取得する、第３の本発明の記録再生装置である。
【００３３】
また、第６の本発明は、
前記ネット情報取得部は、電源を入れられた際またはその所定期間後に、前記取得先情報を含む前記コンテンツ情報に対応するコンテンツデータのうち前記表示用データが前記蓄積部に格納されていないコンテンツデータがあった場合には、前記蓄積部に格納されていない前記表示用データを取得して前記蓄積部に格納する、第３の本発明の記録再生装置である。
【００３４】
また、第７の本発明は、
前記関連コンテンツ情報には、前記所定の情報に関連した内容のデータを取得するための取得先情報が含まれており、
前記利用者によって、前記コンテンツリストの中から前記コンテンツ説明情報が選択された場合には、前記蓄積部に格納された対応する前記コンテンツデータが再生され、
前記利用者によって、前記コンテンツリストの中から前記所定の情報が選択された場合には、前記取得先情報を利用して前記所定の情報に関連した内容のデータが取得され表示される、第２の本発明の記録再生装置である。
【００３５】
また、第８の本発明は、
前記蓄積部には、前記ネットワーク以外から取得された別のコンテンツデータが格納されており、
前記コンテンツリスト生成表示部は、前記コンテンツリストを表示させる際に、前記別のコンテンツデータのコンテンツ説明情報も表示させる、第２の本発明の記録再生装置である。
【００３６】
また、第９の本発明は、
ネットワークを介してサーバからコンテンツデータおよび前記コンテンツデータに対応するコンテンツ情報を取得するネット情報取得ステップと、
複数の前記コンテンツデータおよび複数の前記コンテンツ情報を格納する蓄積ステップと、
格納済みの前記コンテンツデータの視聴期限が経過しているか否かを判定する視聴期限経過判定ステップと、
利用者に前記コンテンツデータを選ばせるために、前記コンテンツデータ毎の前記コンテンツ情報に含まれるコンテンツ説明情報を複数並べたコンテンツリストを生成し表示するコンテンツリスト生成表示ステップとを備え、
前記コンテンツリスト生成ステップでは、
前記コンテンツリストを表示させる際に、前記各コンテンツデータの視聴期限が経過しているか否かを判定し、
前記視聴期限が経過していないコンテンツデータについてはその前記コンテンツ説明情報を表示し、
前記視聴期限が経過しているコンテンツデータについてはその前記コンテンツ説明情報を表示しない、または、その前記コンテンツ説明情報の全部もしくは一部を表示しながら視聴期限切れの警告を追記して表示する、記録再生装置のコンテンツリスト表示方法である。
【００３７】
また、第１０の本発明は、
第９の本発明の記録再生装置のコンテンツリスト表示方法の、格納済みの前記コンテンツデータの視聴期限が経過しているか否かを判定する前記視聴期限経過判定ステップ、および、利用者に前記コンテンツデータを選ばせるために、前記コンテンツデータ毎の前記コンテンツ情報に含まれるコンテンツ説明情報を複数並べたコンテンツリストを生成し表示する前記コンテンツリスト生成表示ステップをコンピュータに実行させるプログラムである。
【００３８】
また、第１１の本発明は、
第１０の本発明のプログラムを記録した記録媒体であって、コンピュータにより処理可能な記録媒体である。
【発明の効果】
【００３９】
本発明により、利用者が視聴期限の過ぎたコンテンツデータに対する操作を行わなくても、そのコンテンツデータが価値の無くなったものであることがわかる記録再生装置およびコンテンツリスト表示方法等を提供できる。
【図面の簡単な説明】
【００４０】
【図１】本発明の実施の形態１および実施の形態２におけるレンタルシステムの構成図
【図２】本発明の実施の形態１および実施の形態２におけるコンテンツ情報の構造図
【図３】本発明の実施の形態１におけるコンテンツ情報の、ｘｍｌ形式を用いて記載した具体例を示す図
【図４】（ａ）、（ｂ）本発明の実施の形態１のコンテンツリストのＧＵＩ表示例を示す図
【図５】本発明の実施の形態１の、視聴期限判定部における視聴期限判定時の処理フローを示す図
【図６（ａ）】本発明の実施の形態１の、コンテンツデータが視聴期限切れになった場合のコンテンツリストの他のＧＵＩ表示例を示す図
【図６（ｂ）】本発明の実施の形態１の、コンテンツデータが視聴期限切れになった場合のコンテンツリストの他のＧＵＩ表示例を示す図
【図６（ｃ）】本発明の実施の形態１の、コンテンツデータが視聴期限切れになった場合のコンテンツリストの他のＧＵＩ表示例を示す図
【図７】本発明の実施の形態２における、サムネイルデータを取得する際および関連コンテンツを購入する際の端末とサーバ間のシーケンスを示す図
【図８】本発明の実施の形態２の、端末の電源を入れた際に関連コンテンツのサムネイルデータを取得する場合の電源投入時の処理フローを示す図
【図９】本発明の実施の形態２の、端末の電源を入れた際に関連コンテンツのサムネイルデータを取得する場合の電源投入時の他の処理フローを示す図
【図１０】従来のレンタルシステムの、サーバと端末間の動作シーケンスを示した図
【図１１】（ａ）、（ｂ）従来のレンタルシステムにおける、コンテンツリスト表示ＧＵＩの表示画面例を示す図
【発明を実施するための形態】
【００４１】
以下に、本発明の実施の形態について、図面を参照しながら説明する。
【００４２】
（実施の形態１）
図１に、本発明の実施の形態１におけるレンタルシステムの構成図を示す。
【００４３】
端末１００とサーバ２００は、ネットワーク３００を介して接続される。端末１００は一般にＩＰ通信を中継するルータ１５０を介してネットワーク３００に接続される。またネットワーク３００には端末１００と同様な構成の複数の端末が接続されているものとする。
【００４４】
端末１００は、ネットワークＩＦ１０１、ブラウザ１０２、表示部１０３、コンテンツリスト操作入力部１０４、ネット情報取得部１０５、表示用コンテンツリスト生成部１０６、視聴期限判定部１０７、端末内部時計部１０８、蓄積部１０９、コンテンツ再生処理部１１２、およびチューナ部１１４を備えている。
【００４５】
なお、端末１００が、本発明の記録再生装置の一例にあたる。
【００４６】
端末１００は、表示部１０３の情報表示１１０により、利用者に対して蓄積部１０９に格納されているコンテンツデータの一覧（コンテンツリスト）を表示し、コンテンツリスト操作入力部１０４が利用者からの操作入力１１１を受けることにより、表示されたコンテンツリストへの操作を行なう。
【００４７】
ネット情報取得部１０５は、ネットワークＩＦ１０１を用いて、ネットワーク３００を介して、サーバ２００からコンテンツ情報４００やサムネイルデータを取得し、蓄積部１０９に格納する機能を備える。本実施の形態１のコンテンツ情報４００の詳細な内容については、後述する。
【００４８】
また、蓄積部１０９には、テレビジョン放送センタ２１０から放送される番組をチューナ部１１４が受信したコンテンツデータも格納される。なお、放送波などを受信して格納されたコンテンツデータが、本発明の、ネットワーク以外から取得された別のコンテンツデータの一例にあたる。
【００４９】
視聴期限判定部１０７は、蓄積部１０９に格納されたコンテンツデータの視聴期限を端末内部時計部１０８より取得した端末１００の内部時間と照らし合わせ、視聴期限が切れたコンテンツデータがないかを確認し、視聴期限切れのコンテンツデータがある場合は、そのコンテンツデータに対する表示を期限切れにするように表示用コンテンツリスト生成部１０６に要求する機能を備える。
【００５０】
また、視聴期限判定部１０７は、視聴期限切れのコンテンツデータに関連コンテンツ情報が付属している場合は、表示用コンテンツリスト生成部１０６に対して、視聴期限切れのコンテンツの表示を関連コンテンツ情報の表示に切り替えるように要求する機能を備える。このとき、視聴期限判定部１０７は、当該関連コンテンツ情報の中にサーバ２００側へのＵＲＬが記載されたリンク情報があり、その情報がサムネイル画像のように取得するのに時間がかかるような情報の場合は、ネット情報取得部１０５に取得を要求する機能を備える。
【００５１】
ここで、視聴期限判定部１０７における、取得に時間がかかるかどうかの判定は、リンク情報の拡張子が、ｊｐｇやｐｎｇのように画像フォーマットを表すかどうか、または、ｗｍｖやｍｐｅｇのように動画フォーマットを表すかどうかなどで容易に判断できる。
【００５２】
表示用コンテンツリスト生成部１０６は、視聴期限判定部１０７からの要求により、コンテンツリスト表示を切替え、表示部１０３を通して、利用者に情報表示１１０を行なう機能を備える。端末内部時計部１０８は、端末１００内部の時刻を管理する機能を備える。
【００５３】
なお、視聴期限判定部１０７が、本発明の視聴期限経過判定部の一例にあたる。また、表示用コンテンツリスト生成部１０６および表示部１０３を合わせた構成が、本発明のコンテンツリスト生成表示部の一例にあたる。
【００５４】
コンテンツリスト操作入力部１０４は、利用者のリモコンによる操作入力１１１によって、表示部１０３に情報表示１１０されたコンテンツリストに対する操作がされた場合、その操作内容に応じて、ブラウザ１０２に対してＨＴＭＬページの取得を要求するか、もしくは、コンテンツ再生処理部１１２に対してコンテンツデータの再生を要求する機能を備える。
【００５５】
ブラウザ１０２は、コンテンツリスト操作入力部１０４からの要求により、サーバ２００からネットワーク３００を介して、ＨＴＭＬページを取得し、画面に表示を行なう機能を備える。コンテンツ再生処理部１１２は、コンテンツリスト操作入力部１０４からの要求により、蓄積部１０９に格納されたコンテンツデータの再生処理を行い、再生出力１１３を行なう機能を備える。
【００５６】
また、サーバ２００は、ルータ２０１、データ送信部２０２、受信部２０３、ＨＴＭＬ送信部２０４、ＨＴＭＬ生成部２０５、および管理部２０６を備える。
【００５７】
データ送信部２０２は、管理部２０６で管理されたコンテンツ情報４００をネットワーク３００を介して、端末１００に送信する機能を備える。受信部２０３は、端末１００からのアクセスに対して、適切なＨＴＭＬを返すようにＨＴＭＬ生成部２０５に要求する機能を備える。ＨＴＭＬ送信部２０４は、ＨＴＭＬ生成部２０５が生成したＨＴＭＬを端末１００にネットワーク３００を介して、送信する機能を備える。
【００５８】
次に、サーバ２００から端末１００に送信されるコンテンツ情報４００の構成を説明する。図２に、本実施の形態１のコンテンツ情報４００の構造図を示す。
【００５９】
本実施の形態１のコンテンツ情報４００は、コンテンツ説明情報４０１、コンテンツデータの視聴期限情報４０２、コンテンツデータのライセンス情報４０３、および関連コンテンツ情報４０４からなる。関連コンテンツ情報４０４を備えている点が、本実施の形態１のコンテンツ情報４００の特徴である。
【００６０】
コンテンツ説明情報４０１とは、コンテンツのタイトルや詳細内容やそのコンテンツの出演者などの情報である。
【００６１】
コンテンツデータの視聴期限情報４０２とは、当該コンテンツデータがいつまで視聴することが可能かどうかを判断するための情報である。
【００６２】
コンテンツデータのライセンス情報４０３とは、当該コンテンツデータを再生するためのライセンスに関する情報である。当該コンテンツデータが非暗号化コンテンツデータである場合は、ライセンス情報４０３がない場合もある。
【００６３】
関連コンテンツ情報４０４とは、例えば、シリーズもののコンテンツである場合は、「○×物語りその１」のコンテンツ情報４００には、「○×物語りその２」の関連コンテンツ情報４０４がつくといった具合である。
【００６４】
関連コンテンツ情報４０４は、関連コンテンツ説明情報４０５、関連コンテンツのサムネイルＵＲＬ４０６、および関連コンテンツ情報へのＵＲＬ４０７からなる。関連コンテンツ説明情報４０５とは、当該関連コンテンツのタイトルや詳細内容や出演者などの情報である。関連コンテンツのサムネイルＵＲＬ４０６とは、当該関連コンテンツのサムネイル画像の場所を表すＵＲＬである。関連コンテンツ情報へのＵＲＬ４０７とは、当該関連コンテンツのサーバ２００側にある情報にアクセスするためのＵＲＬである。なお、関連コンテンツ情報４０４は、すべてのコンテンツ情報４００に対して、付加されているものではない。
【００６５】
図３にコンテンツ情報４００の具体例を示す。なお、図３ではｘｍｌ形式を用いて記載しているが、フォーマットをｘｍｌ形式に限定するものではなく、他の形式を用いてもよい。
【００６６】
図３において、<title>タグには、コンテンツのタイトルが記載され、<desc>タグには、コンテンツの詳細説明が記載される。<actor>タグには出演者情報、<limit>タグに、yyyy-mm-dd-hh-mm-ss形式で視聴期限情報が記載され、<license_id>タグには、ライセンス情報が記載される。<title>タグから<license_id>タグまでが、「○○物語」のコンテンツ情報を示す。この場合の、<title>タグ、<desc>タグおよび<actor>タグの記載がコンテンツ説明情報４０１であり、<limit>タグの記載がコンテンツデータの視聴期限情報４０２であり、<license_id>タグの記載がコンテンツデータのライセンス情報４０３である。
【００６７】
以降の<related_content>タグ内の情報は、「○○物語」の関連コンテンツ情報４０４となる。<related_content>タグ内の<title>タグには、関連コンテンツのタイトル情報、<desc>タグには、関連コンテンツの詳細説明、<actor>タグには、関連コンテンツの出演者情報、<thumbnail_url>タグには関連コンテンツのサムネイル画像ＵＲＬ、<web_url>タグには関連コンテンツの情報にアクセスするためのＵＲＬが記載されている。この場合の、<related_content>タグ内の<title>タグ、<desc>タグおよび<actor>タグの記載が関連コンテンツ説明情報４０５であり、<thumbnail_url>タグの記載が関連コンテンツのサムネイルＵＲＬ４０６であり、<web_url>タグの記載が関連コンテンツ情報へのＵＲＬ４０７である。
【００６８】
次に、利用者にコンテンツデータを選択させるために表示するコンテンツリストのＧＵＩ表示について説明する。
【００６９】
図４（ａ）および（ｂ）に、コンテンツリストのＧＵＩ表示例を示す。図４（ａ）は、「タイトルＡ」のコンテンツデータが視聴期限切れではない場合のＧＵＩ表示例を示しており、図４（ｂ）は、「タイトルＡ」のコンテンツデータが視聴期限切れになった場合のＧＵＩ表示例を示している。
【００７０】
図４（ａ）および（ｂ）において、「タイトルＢ」および「タイトルＣ」で示されるコンテンツデータは、サーバ２００から取得したコンテンツデータに限らず、チューナ部１１４で受信して蓄積部１０９に格納したコンテンツデータについても表示される。
【００７１】
まず、図４（ａ）を用いて、コンテンツデータが視聴期限切れではない場合のＧＵＩ表示について説明する。
【００７２】
コンテンツリスト表示ＧＵＩ５００は、端末１００の蓄積部１０９に格納されたコンテンツデータのリストを表示するためのＧＵＩ画面であり、コンテンツデータ毎に、少なくともコンテンツタイトル５０１、コンテンツサムネイル５０２、およびコンテンツの説明文５０３が表示される。
【００７３】
コンテンツタイトル５０１およびコンテンツの説明文５０３の表示は、コンテンツ情報４００のコンテンツ説明情報４０１に含まれる情報を用いて表示される。すなわち、コンテンツデータ毎にコンテンツタイトル５０１およびコンテンツの説明文５０３が表示されている領域には、コンテンツデータ毎のコンテンツ説明情報が表示されることになる。また、コンテンツサムネイル５０２に表示される画像データは、対応するコンテンツデータとともに蓄積部１０９に格納されている。
【００７４】
「タイトルＡ」のコンテンツデータが視聴期限切れでない場合は、コンテンツタイトル５０１として、コンテンツ説明情報４０１を用いて当該コンテンツデータ自身のタイトルが表示され、コンテンツサムネイル５０２として、当該コンテンツデータに対応するサムネイル画像を端末１００の蓄積部１０９から読み出し、表示される。コンテンツの説明文５０３についても、コンテンツ説明情報４０１を用いて当該コンテンツデータ自身の説明文が表示される。
【００７５】
そして、利用者がコンテンツリスト表示ＧＵＩ５００内の「タイトルＡ」のコンテンツタイトル５０１およびコンテンツの説明文５０３が表示されている領域部分（コンテンツ説明情報４０１が表示されている領域）にフォーカスをあて選択する操作入力１１１を行なうと、コンテンツリスト操作入力部１０４はコンテンツ再生処理部１１２に対して、「タイトルＡ」のコンテンツデータの再生を要求し、コンテンツ再生処理部１１２が「タイトルＡ」のコンテンツデータの再生出力１１３を行なう。これにより、利用者はタイトルＡのコンテンツを視聴することができる。
【００７６】
次に図４（ｂ）を用いて、コンテンツデータが視聴期限切れの場合のＧＵＩ表示について説明する。
【００７７】
コンテンツリスト表示ＧＵＩ５２０には、コンテンツデータ毎に、コンテンツタイトル５２１、コンテンツサムネイル５２２、およびコンテンツの説明文５２３が表示される。
【００７８】
視聴期限判定部１０７によって、「タイトルＡ」のコンテンツデータが視聴期限切れと判断された場合、表示用コンテンツリスト生成部１０６は、蓄積部１０９に格納されている「タイトルＡ」のコンテンツデータに対応するコンテンツ情報４００内の関連コンテンツ情報４０４を参照し、「タイトルＡの関連コンテンツ」のタイトルをコンテンツタイトル５２１として表示させる。このとき、コンテンツタイトル５２１には、「タイトルＡ」のコンテンツに関連したコンテンツの名称が表示される。
【００７９】
またこのとき、表示用コンテンツリスト生成部１０６は、コンテンツサムネイル５２２には、ネット情報取得部１０５が「タイトルＡ」のコンテンツデータに対応するコンテンツ情報４００内の関連コンテンツのサムネイルＵＲＬ４０６を用いて取得したサムネイル画像を表示させる。
【００８０】
コンテンツタイトル５０１およびコンテンツの説明文５０３は、関連コンテンツ情報４０４に含まれる関連コンテンツ説明情報４０５を用いて表示される。
【００８１】
なお、関連コンテンツ説明情報４０５が、本発明の、関連コンテンツ情報に含まれる所定の情報の一例にあたる。また、コンテンツサムネイル５２２に表示されるサムネイルデータが、本発明の、所定の情報に対応する表示用データの一例にあたる。また、関連コンテンツのサムネイルＵＲＬ４０６が、本発明の、所定の情報に対応する表示用データの取得先情報の一例にあたる。
【００８２】
そして、利用者がコンテンツリスト表示ＧＵＩ５２０内の「タイトルＡの関連コンテンツ」のコンテンツタイトル５２１およびコンテンツの説明文５２３が表示されている領域部分にフォーカスをあて選択する操作入力１１１を行なうと、コンテンツリスト操作入力部１０４はブラウザ１０２に対して、関連コンテンツ情報へのＵＲＬ４０７にアクセスするように要求する。これにより、利用者は「タイトルＡ」のコンテンツに関連した関連コンテンツ情報が記載されたＷＥＢサイトを閲覧することができる。
【００８３】
なお、関連コンテンツ情報へのＵＲＬ４０７にアクセスして表示されるＷＥＢサイトの表示データが、本発明の、所定の情報に関連した内容のデータの一例であり、関連コンテンツ情報へのＵＲＬ４０７が、本発明の、所定の情報に関連した内容のデータの取得先情報の一例にあたる。
【００８４】
なお、関連コンテンツ情報へのＵＲＬ４０７が、「タイトルＡ」のコンテンツに関連したコンテンツを購入するための決裁用ＷＥＢサイトであってもよい。これにより、利用者は「タイトルＡ」のコンテンツデータの視聴期限が切れたあと、続いて「タイトルＡ」のコンテンツに関連したコンテンツを簡単に購入できるという大きなメリットがある。
【００８５】
このように、本実施の形態１によれば、端末１００のコンテンツリストのＵＩを活用して、シームレスに関連コンテンツのＷＥＢページに利用者を誘導することができる。
【００８６】
また、本実施の形態１のコンテンツリスト表示方法を用いると、コンテンツデータの視聴期限が切れた後はそれ以前と比べて、コンテンツデータの価値が低くなり、反対に、関連コンテンツ情報の価値が高くなるため、このようなＴＰＯに沿ったＵＩ表示や操作が可能となる。
【００８７】
次に、蓄積部１０９に格納されたコンテンツデータの視聴期限切れ判定時の処理フローについて説明する。
【００８８】
図５に、視聴期限判定部１０７における、コンテンツデータの視聴期限切れを判定する処理のフローチャートを示す。
【００８９】
視聴期限判定部１０７は、蓄積部１０９に格納された各コンテンツデータについて、コンテンツ情報４００を参照してコンテンツデータの視聴期限情報４０２と端末内部時計部１０８から得た時刻とを照らし合わせて、視聴期限が切れているか否かを判断する（ステップＳ１０）。この判定は、端末１００の電源が入れられたときや、利用者がコンテンツリストを表示させたときなどをトリガとして行なわれる。
【００９０】
視聴期限が切れているコンテンツデータが無かった場合、視聴期限判定部１０７は視聴期限切れの判定処理を終える。
【００９１】
視聴期限が切れているコンテンツデータがあった場合は、視聴期限が切れているコンテンツデータに対応するコンテンツ情報４００内に関連コンテンツのサムネイルＵＲＬ４０６が含まれているか否かを判定する（ステップＳ１１）。視聴期限判定部１０７は、関連コンテンツのサムネイルＵＲＬ４０６が含まれていなかった場合には、視聴期限切れの判定処理を終え、関連コンテンツのサムネイルＵＲＬ４０６が含まれていた場合には、ネット情報取得部１０５によってその関連コンテンツのサムネイルＵＲＬ４０６からサムネイルデータを取得させ蓄積部１０９に格納させる（ステップＳ１２）。
【００９２】
なお、上記では、視聴期限切れのコンテンツデータがあった場合、視聴期限切れのコンテンツデータの情報をコンテンツリストに表示させる代わりに、図４（ｂ）に示すように、視聴期限切れのコンテンツに関連したコンテンツの情報を表示させるようにしたが、これ以外のコンテンツリストの表示方法によって、視聴期限切れとなったことを利用者に通知するようにしてもよい。
【００９３】
図６（ａ）〜（ｃ）にそれぞれ、コンテンツデータが視聴期限切れになった場合のコンテンツリストの他のＧＵＩ表示例を示す。図６（ａ）〜（ｃ）のいずれも、「タイトルＡ」のコンテンツデータが視聴期限切れになった場合のＧＵＩ表示例を示している。なお、図４（ａ）と同じ構成部分には、同じ符号を用いている。
【００９４】
図６（ａ）に示す表示例の場合、表示用コンテンツリスト生成部１０６は、期限切れとなった「タイトルＡ」のコンテンツデータを選択するための表示領域（コンテンツタイトル５０１およびコンテンツの説明文５０３が表示されている領域）の一部に、そのコンテンツデータの視聴期限が経過したことを示す視聴期限経過警告表示５０４を追記したコンテンツリスト表示ＧＵＩ５１０を表示させる。
【００９５】
図６（ｂ）に示す表示例の場合、表示用コンテンツリスト生成部１０６は、期限切れとなった「タイトルＡ」のコンテンツデータを選択するための表示領域を全部表示させたまま、別の表示領域にそのコンテンツデータの視聴期限が経過したことを示す視聴期限経過警告表示５０５を追記したコンテンツリスト表示ＧＵＩ５１１を表示させる。
【００９６】
なお、視聴期限経過警告表示５０４および視聴期限経過警告表示５０５が、それぞれ本発明の視聴期限切れの警告の表示の一例にあたる。
【００９７】
図６（ａ）および図６（ｂ）に示すように、視聴期限経過警告表示５０４または５０５を追記して表示することにより、利用者は「タイトルａ」のコンテンツデータに対する再生操作を行わなくても、そのコンテンツデータが再生できなくなったことを知ることができる。
【００９８】
図６（ｃ）に示す表示例の場合には、表示用コンテンツリスト生成部１０６は、期限切れとなった「タイトルＡ」のコンテンツデータを選択するための表示領域を表示させないようにしたコンテンツリスト表示ＧＵＩ５１２を表示させる。
【００９９】
この場合、視聴期限切れとなって利用する価値のなくなった「タイトルＡ」のコンテンツデータに対応する情報はコンテンツリストに表示されなくなり、利用可能なコンテンツデータの情報だけが表示されることになるので、利用者にとって所望のコンテンツデータを選択し易い表示となる。
【０１００】
また、関連コンテンツ情報４０４の有無に応じて、コンテンツリストにおける視聴期限切れとなったコンテンツデータに対する表示方法を異ならせるようにしてもよい。例えば、視聴期限切れとなったコンテンツデータに対応するコンテンツ情報に関連コンテンツ情報４０４が含まれていた場合には、図４（ｂ）のように表示させ、関連コンテンツ情報４０４が含まれていなかった場合には、図６（ａ）、（ｂ）または（ｃ）のように表示させるようにしてもよい。
【０１０１】
なお、上記では、サーバ２００から取得したコンテンツデータの視聴期限が経過した場合について説明したが、放送波などを受信して格納したコンテンツデータであっても、視聴期限が設定されている場合には、本実施の形態１のコンテンツリスト表示方法を同様に適用できる。
【０１０２】
（実施の形態２）
次に、本発明の実施の形態２におけるレンタルシステムについて説明する。
【０１０３】
本実施の形態２のレンタルシステムの構成は実施の形態１と同様であり、図１に示す通りである。
【０１０４】
また、本実施の形態２のコンテンツデータに対応するコンテンツ情報４００も、実施の形態１と同様の図２に示した構造を有するものである。
【０１０５】
実施の形態１では、関連コンテンツ情報４０４に、関連コンテンツのサムネイルＵＲＬ４０６のようなネットワーク３００を介して大きなサイズのデータを取得しなければならない情報が含まれていた場合には、視聴期限判定部１０７が、視聴期限切れのコンテンツデータであると判定した際に、その関連コンテンツのサムネイルＵＲＬ４０６からサムネイルデータをネット情報取得部１０５によって取得させていた。
【０１０６】
サムネイルデータのような大きなサイズのデータを関連情報のＷＥＢサイトから取得する場合は、そのデータ取得通信時間により操作のレスポンスが悪化する。したがって、実施の形態１の場合、コンテンツリストを表示させる際にサーバ２００からのサムネイルデータの取得が行われると、コンテンツリストに対する操作のレスポンスが悪化してしまう。
【０１０７】
本実施の形態２は、このレスポンスの悪化を解消するために、関連コンテンツ情報４０４の中に、ネットワーク３００を介して画像データのような大きなサイズのデータを取得しなければならない情報が含まれていた場合には、コンテンツリストが表示される前に、その大きなサイズのデータを予め取得するものである。
【０１０８】
本実施の形態２は、ネットワーク３００を介して取得しなければならない大きなサイズのデータの一例であるサムネイルデータをサーバ２００から取得するタイミングが、実施の形態１とは異なるものである。
【０１０９】
以下では、実施の形態１と異なる点について説明する。
【０１１０】
図７に、本実施の形態２における、サムネイルデータを取得する際および関連コンテンツを購入する際の端末とサーバ間のシーケンスを示す。
【０１１１】
図７を用いて、本実施の形態２において、端末１００が関連コンテンツのサムネイルデータを取得する際、および関連コンテンツを購入する際の端末１００とサーバ２００、および決裁サーバ７００とのやりとりを説明する。
【０１１２】
視聴期限判定部１０７は、蓄積部１０９に格納されている各コンテンツデータの視聴期限を、予め端末内部時計部１０８に設定しておき、端末内部時計部１０８に設定された視聴期限に達したときに、端末内部時計部１０８から視聴期限判定部１０７へ視聴期限に達したことを通知するように設定しておく。端末内部時計部１０８は、視聴期限判定部１０７や表示用コンテンツリスト生成部１０６などを実行するＣＰＵとは独立して動作するもの（タイマーＩＣなど）であり、例えば割り込み信号によって設定された視聴期限に達したことを視聴期限判定部１０７に通知する。
【０１１３】
視聴期限判定部１０７は、端末内部時計部１０８から通知を受けて視聴期限に達したコンテンツデータがあることを確認７０１すると、その視聴期限切れとなったコンテンツデータに対応するコンテンツ情報４００に関連コンテンツ情報が含まれているかを確認７０２する。
【０１１４】
視聴期限判定部１０７は、関連コンテンツ情報が含まれていた場合には、さらにその関連コンテンツ情報内に、関連コンテンツのサムネイルＵＲＬ４０６が含まれているかを確認７０３する。
【０１１５】
視聴期限判定部１０７は、関連コンテンツのサムネイルＵＲＬ４０６が含まれていることを確認した場合、ネット情報取得部１０５によってサーバ２００へＨＴＴＰのＧＥＴ要求を発行させ、関連コンテンツのサムネイルデータを要求７０４させる。関連コンテンツのサムネイルデータの要求を受けたサーバ２００は、要求された関連コンテンツのサムネイルデータを端末１００へ送信７０５する。
【０１１６】
ネット情報取得部１０５は、サーバ２００からサムネイルデータを取得すると、そのサムネイルデータを蓄積部１０９に格納７０６する。
【０１１７】
このように、サーバ２００からの関連コンテンツのサムネイルデータの取得は、コンテンツデータの視聴期限に達したタイミングで行われる。
【０１１８】
次に、利用者が関連コンテンツを購入する際の処理について説明する。
【０１１９】
利用者がコンテンツリストの表示指示７０７を行なうと、表示用コンテンツリスト生成部１０６は、図４（ｂ）のコンテンツリスト表示ＧＵＩ５２０を表示部１０３によって表示７０８させる。
【０１２０】
図４（ｂ）のタイトル５２１およびコンテンツの説明文５２３を表示させるために用いられた関連コンテンツ説明情報４０５に対応する関連コンテンツ情報へのＵＲＬ４０７には、関連コンテンツの購入ページのＵＲＬが記載されており、コンテンツリスト表示ＧＵＩ５２０において、利用者がタイトル５２１およびコンテンツの説明文５２３が表示されている領域部分を選択７０９すると、ブラウザ１０２がサーバ２００へＨＴＴＰのＧＥＴ要求を発行し、関連コンテンツの購入ページを要求７１０する。
【０１２１】
関連コンテンツの購入ページの要求を受けたサーバ２００は、関連コンテンツの購入ページを端末１００へ送信７１１する。関連コンテンツの購入ページを受信したブラウザ１０２は、利用者に対して関連コンテンツの購入画面を表示７１２する。
【０１２２】
そして、利用者が、表示された関連コンテンツの購入ページから関連コンテンツの購入を選択７１３すると、ブラウザ１０２は、決裁サーバ７００に対してＨＴＴＰのＧＥＴ要求を発行し、関連コンテンツの購入を要求７１４する。
【０１２３】
関連コンテンツの購入の要求を受けた決裁サーバ７００は、関連コンテンツの購入を受付７１５し、サーバ２００に対して、関連コンテンツ情報配信要求７１６を発行する。
【０１２４】
決裁サーバ７００から関連コンテンツ情報配信要求７１６を受けたサーバ２００は、端末１００に対して、関連コンテンツ情報配信７１７を行なう。
【０１２５】
これ以降のシーケンスは、図１０のコンテンツ情報配信６０３以降のシーケンスと同様である。
【０１２６】
なお、サーバ２００と決裁サーバ７００は同一のサーバであっても全く効果は変わらない。なお、ＨＴＴＰではなくＨＴＴＰＳを用いてもよい。これにより、よりセキュアな通信を行なうことが可能になるという効果がある。
【０１２７】
上記したように、本実施の形態２では、図４（ｂ）のコンテンツサムネイル５２２に表示させるサムネイルデータのようにサイズが大きくサーバ２００からの取得に時間のかかるデータを、利用者がコンテンツリストを操作するよりも前に取得するようにしているので、利用者はコンテンツリストを操作する際にレスポンスの悪化を感じることがない。
【０１２８】
なお、上記では、視聴期限に達した際に関連コンテンツのサムネイルデータを取得することとしたが、コンテンツリストを表示させる前であれば、これ以外のタイミングで関連コンテンツのサムネイルデータを取得するようにしてもよい。例えば、端末１００の電源を入れた際に、関連コンテンツのサムネイルデータを取得するようにしてもよい。
【０１２９】
図８に、端末１００の電源を入れた際に関連コンテンツのサムネイルデータを取得する場合の、端末１００における電源投入時の処理フローを示す。
【０１３０】
端末１００の電源が入れられたときに、視聴期限判定部１０７は、蓄積部１０９に格納されている各コンテンツデータの視聴期限を確認する（ステップＳ２０）。そして、視聴期限切れとなっているコンテンツデータの数Ｐを設定する（ステップＳ２１）。
【０１３１】
そして、視聴期限判定部１０７は、視聴期限切れとなったコンテンツデータについて、そのコンテンツデータに対応するコンテンツ情報４００に関連コンテンツのサムネイルＵＲＬ４０７が含まれているかを確認する（ステップＳ２２）。コンテンツ情報４００に関連コンテンツのサムネイルＵＲＬ４０７が含まれていた場合、その関連コンテンツのサムネイルＵＲＬ４０７から取得されるサムネイルデータが既に取得済みで蓄積部１０９に格納されているかを確認する（ステップＳ２３）。
【０１３２】
そして、関連コンテンツのサムネイルＵＲＬ４０７から取得されるサムネイルデータがまだ取得されていなかった場合には、ネット情報取得部１０５によって、その関連コンテンツのサムネイルＵＲＬ４０７からサムネイルデータを取得させ、蓄積部１０９に格納させる（ステップＳ２４）。
【０１３３】
ステップＳ２２〜ステップＳ２４の処理を、視聴期限切れとなっているコンテンツデータ数Ｐの各コンテンツデータに対して行う（ステップＳ２５、ステップＳ２６）。
【０１３４】
図８に示した処理を行うことにより、端末１００の電源を入れた際に視聴期限を経過していた全てのコンテンツデータについて、対応する全ての関連コンテンツのサムネイルデータが取得されることになる。
【０１３５】
次に、図９に、端末１００の電源を入れた際に関連コンテンツのサムネイルデータを取得する場合の、図８の処理とは異なる、電源投入時の処理フローを示す。
【０１３６】
以下、図９に示した処理フローについて説明する。
【０１３７】
端末１００の電源が入れられたときに、視聴期限判定部１０７は、蓄積部１０９に格納されている全てのコンテンツデータの数Ｎを設定する（ステップＳ３１）。
【０１３８】
そして、視聴期限判定部１０７は、蓄積部１０９に格納されている各コンテンツデータについて、そのコンテンツデータに対応するコンテンツ情報４００に関連コンテンツのサムネイルＵＲＬ４０７が含まれているかを確認する（ステップＳ３２）。コンテンツ情報４００に関連コンテンツのサムネイルＵＲＬ４０７が含まれていた場合、その関連コンテンツのサムネイルＵＲＬ４０７から取得されるサムネイルデータが既に取得済みで蓄積部１０９に格納されているかを確認する（ステップＳ３３）。
【０１３９】
そして、関連コンテンツのサムネイルＵＲＬ４０７から取得されるサムネイルデータがまだ取得されていなかった場合には、ネット情報取得部１０５によって、その関連コンテンツのサムネイルＵＲＬ４０７からサムネイルデータを取得させ、蓄積部１０９に格納させる（ステップＳ３４）。
【０１４０】
ステップＳ３２〜ステップＳ３４の処理を、蓄積部１０９に格納されているコンテンツデータ数Ｎの各コンテンツデータに対して行う（ステップＳ３５、ステップＳ３６）。
【０１４１】
図９に示した処理を行うことにより、端末１００の電源を入れた際に視聴期限の経過に関係なく、蓄積部１０９に格納されている全てのコンテンツデータについて、対応する全ての関連コンテンツのサムネイルデータが取得されることになる。
【０１４２】
なお、図８および図９に示したフローでは、端末１００の電源を入れた際にこれらの処理を行うこととしたが、電源を入れた直後に限らず、電源を入れてから所定時間経過後にこれらの処理を行うようにしてもよい。
【０１４３】
また、図８または図９に示した処理に加えて、図７に示したように視聴期限に達したときにも関連コンテンツのサムネイルデータを取得するようにしてもよい。
【０１４４】
このように、本実施の形態２の端末１００では、画像データなどを利用者の操作とは非同期に先に取得しておくため、関連情報のページ遷移を迅速に行い、利用者にページ遷移のストレスを感じさせないという数多くの顕著なメリットを得ることができる。
【０１４５】
なお、本発明のプログラムは、上述した記録再生装置のコンテンツリスト表示方法の、格納済みの前記コンテンツデータの視聴期限が経過しているか否かを判定する前記視聴期限経過判定ステップ、および、利用者に前記コンテンツデータを選ばせるために、前記コンテンツデータ毎の前記コンテンツ情報に含まれるコンテンツ説明情報を複数並べたコンテンツリストを生成し表示する前記コンテンツリスト生成表示ステップの動作をコンピュータにより実行させるためのプログラムであって、コンピュータと協働して動作するプログラムである。
【０１４６】
また、本発明の記録媒体は、上述した記録再生装置のコンテンツリスト表示方法の、格納済みの前記コンテンツデータの視聴期限が経過しているか否かを判定する前記視聴期限経過判定ステップ、および、利用者に前記コンテンツデータを選ばせるために、前記コンテンツデータ毎の前記コンテンツ情報に含まれるコンテンツ説明情報を複数並べたコンテンツリストを生成し表示する前記コンテンツリスト生成表示ステップの動作をコンピュータにより実行させるためのプログラムを記録した記録媒体であり、コンピュータにより読み取り可能かつ、読み取られた前記プログラムが前記コンピュータと協働して利用される記録媒体である。
【０１４７】
また、本発明の上記「ステップの動作」とは、前記ステップの全部または一部の動作を意味する。
【０１４８】
また、本発明のプログラムの一利用形態は、コンピュータにより読み取り可能な、ＲＯＭ等の記録媒体に記録され、コンピュータと協働して動作する態様であっても良い。
【０１４９】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【０１５０】
また、上述した本発明のコンピュータは、ＣＰＵ等の純然たるハードウェアに限らず、ファームウェアや、ＯＳ、更に周辺機器を含むものであっても良い。
【０１５１】
なお、以上説明した様に、本発明の構成は、ソフトウェア的に実現しても良いし、ハードウェア的に実現しても良い。
【産業上の利用可能性】
【０１５２】
本発明に係る記録再生装置およびコンテンツリスト表示方法等は、利用者が視聴期限の過ぎたコンテンツデータに対する操作を行わなくても、そのコンテンツデータが価値の無くなったものであることがわかる効果を有し、ネットワーク経由で映像や音声コンテンツをダウンロードして再生することのできる、コンテンツレンタルシステム、記録再生装置およびコンテンツリスト表示方法等として有用である。
【符号の説明】
【０１５３】
１００  端末
１０１  ネットワークＩＦ
１０２  ブラウザ
１０３  表示部
１０４  コンテンツリスト操作入力部
１０５  ネット情報取得部
１０６  表示用コンテンツリスト生成部
１０７  視聴期限判定部
１０８  端末内部時計部
１０９  蓄積部
１１０  情報表示
１１１  操作入力
１１２  コンテンツ再生処理部
１１３  再生出力
１１４  チューナ部
１５０  ルータ
２００  サーバ
２０１  ルータ
２０２  データ送信部
２０３  受信部
２０４  ＨＴＭＬ送信部
２０５  ＨＴＭＬ生成部
２０６  管理部
２１０  テレビジョン放送センタ
３００  ネットワーク
４００  コンテンツ情報
４０１  コンテンツ説明情報
４０２  コンテンツデータの視聴期限情報
４０３  コンテンツデータのライセンス情報
４０４  関連コンテンツ情報
４０５  関連コンテンツ説明情報
４０６  関連コンテンツのサムネイルＵＲＬ
４０７  関連コンテンツ情報へのＵＲＬ
５００  コンテンツリスト表示ＧＵＩ
５０１  コンテンツタイトル
５０２  コンテンツサムネイル
５０３  コンテンツの説明文
５０４  視聴期限経過警告表示
５０５  視聴期限経過警告表示
５１０  コンテンツリスト表示ＧＵＩ
５１１  コンテンツリスト表示ＧＵＩ
５１２  コンテンツリスト表示ＧＵＩ
５２０  コンテンツリスト表示ＧＵＩ
５２１  コンテンツタイトル
５２２  コンテンツサムネイル
５２３  コンテンツの説明文
６００  購入・ダウンロード指示
６０１  購入・ダウンロード指示
６０２  ライセンス期限生成
６０３  コンテンツ情報配信
６０４  コンテンツ情報保存・ダウンロード予約登録完了
６０５  コンテンツデータダウンロード実行
６０６  ライセンス取得要求
６０７  ライセンス取得応答
６０８  ライセンス保存
６０９  再生指示
６１０  ライセンス取出
６１１  ライセンス期限確認
６１２  復号開始
６１３  再生
６１４  再生指示
６１５  ライセンス取出
６１６  ライセンス期限確認
６１７  ライセンス期限切れ
６２０  端末
６３０  サーバ
７００  決裁サーバ
７０１  視聴期限に達したコンテンツデータを確認
７０２  視聴期限切れのコンテンツの関連コンテンツ情報を確認
７０３  関連コンテンツ情報内にサムネイルＵＲＬを確認
７０４  関連コンテンツのサムネイルを要求
７０５  関連コンテンツのサムネイルを送信
７０６  サムネイルデータを格納
７０７  コンテンツリスト表示指示
７０８  コンテンツリスト表示
７０９  関連コンテンツの情報表示を選択
７１０  関連コンテンツの購入ページを要求
７１１  関連コンテンツの購入ページを送信
７１２  関連コンテンツの購入画面を表示
７１３  関連コンテンツの購入を選択
７１４  関連コンテンツの購入を要求
７１５  関連コンテンツの購入を受付
７１６  関連コンテンツ情報配信要求
７１７  関連コンテンツ情報配信
【図１】
2011009815.tif 000003
【図２】
2011009815.tif 000004
【図３】
2011009815.tif 000005
【図４】
2011009815.tif 000006
【図５】
2011009815.tif 000007
【図６（ａ）】
2011009815.tif 000008
【図６（ｂ）】
2011009815.tif 000009
【図６（ｃ）】
2011009815.tif 000010
【図７】
2011009815.tif 000011
【図８】
2011009815.tif 000012
【図９】
2011009815.tif 000013
【図１０】
2011009815.tif 000014
【図１１】
2011009815.tif 000015